(57)【要約】  本発明は、複数の歯を一体に連結して各歯のねじれた状態を矯正する、歯の矯正ワイヤーを支持するためのミニスクリューアンカーを植立する歯の矯正用アンカー植立装置において、隣接する一対の歯の間を部分的に囲み、歯肉の側部に向ってねじ孔が貫通形成された固定ホールディング部と; 固定ホールディング部に対して接近及び離隔し、固定ホールディング部とともに隣接する一対の歯の間を囲み、ねじ孔に対応して突出され、歯肉の側部を支持する支持突起を有する可動ホールディング部と; 固定ホールディング部及び可動ホールディング部のいずれかに連結され、ミニスクリューアンカーの植立位置を設定するアンカー位置設定部と;固定ホールディング部のねじ孔に着脱可能に結合され、支持突起との間隔を可変調整し、歯肉の側部を支持する調整ねじを含むことを特徴とする。これによって、多様な大きさの歯肉に対応し、ミニスクリューアンカーを所定の植立位置に簡単に植立することができる。
2007508044.tif 000002
【特許請求の範囲】
【請求項１】
複数の歯を一体に連結して前記各歯のねじれた状態を矯正する、歯の矯正ワイヤーを支持するためのミニスクリューアンカーを植立する歯の矯正用アンカー植立装置において、隣接する一対の歯の間を部分的に囲み、前記歯肉の側部に向ってねじ孔が貫通形成された固定ホールディング部と; 前記固定ホールディング部に対して接近及び離隔し、前記固定ホールディング部とともに隣接する一対の歯の間を囲み、前記ねじ孔に対応して突出され、前記歯肉の側部を支持する支持突起を有する可動ホールディング部と; 前記固定ホールディング部及び可動ホールディング部のいずれかに連結され、前記ミニスクリューアンカーの植立位置を設定するアンカー位置設定部と; 前記固定ホールディング部のねじ孔に着脱可能に結合され、前記支持突起との間隔を可変調整し、前記歯肉の側部を支持する調整ねじを含むことを特徴とする歯の矯正用アンカー植立装置。
【請求項２】
請求項１において、前記固定ホールディング部と前記可動ホールディング部は一体に形成され、前記一対の歯に向って接近するように、弾性附勢することを特徴とする歯の矯正用アンカー植立装置。
【請求項３】
請求項１において、前記固定ホールディング部及び前記可動ホールディング部は、それぞれ回動軸に回動可能に結合されることを特徴とする歯の矯正用アンカー植立装置。
【請求項４】
請求項３において、前記固定ホールディング部及び可動ホールディング部にそれぞれ連結され、前記回動軸に対して前記固定ホールディング部及び可動ホールディング部を互いに接近及び、離隔させる一対の握り部をさらに含むことを特徴とする歯の矯正用アンカー植立装置。
【請求項５】
請求項４において、前記回動軸には前記握り部の接近時、前記固定ホールディング部及び可動ホールディング部が、互いに離隔される方向の反対方向に弾性附勢する弾性スプリングが設けられていることを特徴とする歯の矯正用アンカー植立装置。
【請求項６】
請求項１において、前記固定ホールディング部が固定結合されるとともに、前記可動ホールディング部がスライディング可能に結合され、案内ねじ部を有する本体と; 前記本体の案内ねじ部にねじ結合され、前記可動ホールディング部をスライディング移動させる可動部をさらに含むことを特徴とする歯の矯正用アンカー植立装置。
【請求項７】
請求項６において、前記可動部の外周に設けられ、前記可動部を把持して前記本体に対し、ねじ運動する少なくとも一つの把持部をさらに含むことを特徴とする歯の矯正用アンカー植立装置。
【発明の詳細な説明】
【技術分野】
【０００１】
本発明は、歯の矯正用アンカー植立装置に関するものであり、複数の歯を一体に連結し、前記各歯のねじれた状態を矯正する歯の矯正ワイヤーを支持するためのミニスクリュー（miniscrew）アンカーを植立する歯の矯正用アンカー植立装置に関するものである。歯の矯正用アンカー植立装置は、隣接する二つの歯の間の空間を囲む固定ホールディング部と；前記固定ホールディング部に対して接近及び離隔することにより、隣接する二つの歯の間の空間を部分的に囲む可動ホールディング部と；前記歯肉の側面を支持する支持突起と；少なくとも一つ以上の固定ホールディング部と可動ホールディング部が連結され、アンカーが植立される位置を決定するアンカー位置設定部と；固定ホールディング部の貫通形成されたねじ孔と連結し、固定ホールディング部と可動ホールディング部の間の間隔を調整し、歯肉の側面を支持する調整ねじで構成されている。
【０００２】
したがって、アンカーは多様な大きさの歯肉に関わらず、所定の位置で簡単に植立できる。
【背景技術】
【０００３】
通常的に不正咬合を治療する歯の矯正手術時、臼歯領域のより良い咀嚼機能と前歯領域のより向上した発音及び審美機能のために動く移動歯（主に"前歯"）と、動いてはいけない固定歯（主に"臼歯"）の間に現われる適切な力の調整は非常に重要である。
【０００４】
例えば、出っ歯やねじれた歯を矯正する場合、小さな臼歯を抜去した後、この空間に前歯を移動させる場合、歯に付着するブラケットと、この間を連結する歯の矯正ワイヤーで構成された歯の矯正装置を用いる。
【０００５】
このような歯の矯正装置によって前歯には臼歯に向って移動される作用力が加えられる。しかしながら、これとは反対の反作用が臼歯領域に現われることにより、移動してはいけない臼歯が前に移動して抜去された歯領域の空間を占めることにより、前歯が望むだけ移動できない問題点がある。
【０００６】
これに、いわゆる矯正学では、このような反作用を減らし、移動歯が十分に動くことができる空間を提供するために、アンカー補強目的に歯に着脱可能な口腔の歯の矯正装置（ヘッドギア）を用いる。しかし、審美的な理由と着用する場合と、着用しない場合の面倒さがあるので、着脱可能な口腔の歯の矯正装置（ヘッドギア）の手術同意を得にくい。
【０００７】
これに、最近にはミニインプラント（以下、"ミニスクリューアンカー"）という小さな木ねじを歯根と根の間の歯肉内に植立し、ミニスクリューアンカーに矯正しようとする歯を歯の矯正用弾性材料を用いて結紮することにより、確固で持続的な固定源として用いている。このようなミニスクリューアンカーは歯根の間に植立するので、目によく見えなく、その固定強度が
高いため、一日中に力を発揮することができ、矯正する歯の移動が速くできるという長所がある。
【０００８】
ところが、ミニスクリューアンカーの植立位置を決めても歯肉が覆われており、臼歯領域は視野が斜めになるので、ドライバーのような工具を用いてミニスクリューアンカーを植立位置に正確に植立することは手術者の経験に頼らざるを得ない。
【０００９】
したがって、従来にはミニスクリューアンカーを植立する過程が容易ではないので、歯肉を通過したミニスクリューアンカーの植立方向が歯根の間の骨中心が外れることができ、歯根の損傷などをもたらす心配がある。
【発明の開示】
【発明が解決しようとする課題】
【００１０】
本発明の目的は、いろいろな大きさの歯肉に対応し、ミニスクリューアンカーを所定の植立位置に容易に植立できる歯の矯正用アンカー植立装置を提供することにある。
【課題を解決するための手段】
【００１１】
前記目的は、複数の歯を一体に連結し、前記各歯のねじれた状態を矯正する歯の矯正ワイヤーを支持するためのミニスクリューアンカーを植立する歯の矯正用アンカー植立装置において、隣接する一対の歯の間を部分的に囲み、前記歯肉の側部に向ってねじ孔が貫通形成された固定ホールディング部と; 前記固定ホールディング部に対して接近及び離隔し、前記固定ホールディング部とともに隣接する一対の歯の間を囲み、前記ねじ孔に対応して突出され、前記歯肉の側部を支持する支持突起を有する可動ホールディング部と、前記固定ホールディング部及び可動ホールディング部のいずれかに連結され、前記ミニスクリューアンカーの植立位置を設定するアンカー位置設定部と、前記固定ホールディング部のねじ孔に着脱可能に結合され、前記支持突起との間隔を可変調整し、前記歯肉の側部を支持する調整ねじを含むことを特徴とする歯の矯正用アンカー植立装置によって達成される。
【００１２】
前記固定ホールディング部と前記可動ホールディング部は一体に形成され、前記一対の歯に向って接近するように弾性附勢することができる。
【００１３】
一方、前記固定ホールディング部及び前記可動ホールディング部は、それぞれ回動軸に回動可能に結合されることができ、前記固定ホールディング部及び可動ホールディング部にそれぞれ連結され、前記回動軸に対して前記固定ホールディング部及び可動ホールディング部を互いに接近及び離隔させる一対の握り部をさらに含むこともできる。
【００１４】
また、前記回動軸には前記握り部の接近時、前記固定ホールディング部及び可動ホールディング部が互いに離隔する方向の反対方向に弾性附勢する弾性スプリングを備えることができる。 一方、前記固定ホールディング部が固定結合されるとともに、前記可動ホールディング部がスライディング可能に結合され、案内ねじ部を有する本体と前記本体の案内ねじ部にねじ結合され、前記可動ホールディング部をスライディング移動させる可動部をさらに含むこともできる。ここで、前記可動部の外周に設けられ、前記可動部を把持して前記本体に対してねじ運動する少なくとも一つの把持部をさらに含むことにより、容易に前記固定ホールディング部に対して前記可動ホールディング部を接近及び離隔させることができる。
【発明の効果】
【００１５】
このように、隣接する一対の歯の間を部分的に囲み、歯肉の側部に向ってねじ孔が貫通形成された固定ホールディング部と、固定ホールディング部に対して接近及び離隔し、固定ホールディング部とともに隣接する一対の歯の間を囲み、歯肉の側部を支持する支持突起を有する可動ホールディング部と、固定ホールディング部のねじ孔に着脱可能に結合され、支持突起との間隔を可変調整して歯肉の側部を支持する調整ねじを備え、調整ねじをねじ孔によって前進及び後進させ、調整ねじと支持突起の間の間隔を調整することにより、多様な大きさの歯肉に対応して安定的にアンカー位置設定部の位置を決定できるので、ミニスクリューアンカーを所定の植立位置に簡単に植立することができる。
【００１６】
本明細書で添付された次の図面は、本発明物の適切な実施例を示し、既に詳しく記述した内容と詳細説明とともに本発明の技術的意図に対して説明する。本発明物は図面上に示しただけで限定されたり把握されない。
【発明を実施するための最良の形態】
【００１７】
以下には、本発明の適切な実施例が添付された図面を参考して詳細に記述する。
【００１８】
説明する前に、この詳細事項に示された用語と名称及び請求項は、通常的あるいは文字上だけで解釈されるか又は制限してはいけない。そして、発明人が一番最上の方法で本発明を記述するための単語と用語の概念を定義できるということを前提し、本発明の技術的意図による意味と概念であることを考えるべきである。
【００１９】
したがって、本発明で記述される実施例と図面で示される外形は、その中でも一番適切な実施例であり、本発明が持っている技術的意図を全て示していることはない。そして、本発明の出願時点で替るかも知れない多様な同等物或は、修正した標本が存在できるということを理解しなければならない。
【００２０】
図１に示された図面は、前歯（Ｆ）が突出された状態で前歯（Ｆ）を臼歯（Ｍ、Ｍ'）の方へ移動させる矯正のために歯の矯正ワイヤー（Ｗ）を設けた状態を概略的に示している。この時、歯の矯正ワイヤー（Ｗ）代わりに弾性材料であるゴムひも、コイルスプリングなどを採用することもできる。
【００２１】
歯の矯正ワイヤー（Ｗ）には、各歯に対応する複数のブラケット（Ｂ）が結合されている。歯の矯正ワイヤー（Ｗ）は、その両端が臼歯（Ｍ、Ｍ'）領域に植立したミニスクリューアンカー（９）によって支持されている。このように歯の矯正ワイヤー（Ｗ）をミニスクリューアンカー（９）に支持して歯に設けると、前歯（Ｆ）は臼歯（Ｍ、Ｍ'）の方へ移動して矯正される。ここで、ミニスクリューアンカー（９）と接するブラケット（Ｂ）は、歯の矯正ワイヤー（Ｗ）代りにコイルスプリング（Ｓ）によって支持されている。この時、歯の矯正ワイヤー（Ｗ）を支持するミニスクリューアンカー（９）は、一対の臼歯（Ｍ、Ｍ'）の根の間の領域である所定の植立位置に植立しなければならない。これをために、本発明では下に敍述する歯の矯正用アンカー植立装置を用いてミニスクリューアンカー（９）を植立している。
【００２２】
本発明の第１実施例によるアンカー植立装置（１００）は、図２ないし図４に示されたように、隣接する一対の歯の間を部分的に囲み、歯肉（Ｎ）の側部に向ってねじ孔（１１３）が貫通形成された固定ホールディング部（１１１）と、固定ホールディング部（１１１）に対して接近及び離隔して固定ホールディング部（１１１）とともに、隣接する一対の歯の間を囲む可動ホールディング部（１２１）と、固定ホールディング部（１１１）及び可動ホールディング部（１２１）に連結され、ミニスクリューアンカー（９）の植立位置を設定するアンカー位置設定部（１４１）と、固定ホールディング部（１１１）のねじ孔（１１３）に着脱可能に結合され、歯肉（Ｎ）の側部を支持する調整ねじ（１５１）を有する。 固定ホールディング部（１１１）と可動ホールディング部（１２１）は、一対の歯の間を部分的に囲むように部分円弧形状を有する。
【００２３】
固定ホールディング部（１１１）は、歯肉（Ｎ）の側部に向って貫通形成されたねじ孔（１１３）が形成されており、このねじ孔（１１３）には調整ねじ（１５１）が着脱可能に結合される。調整ねじ（１５１）は、ねじ孔（１１３）に結合されて後述する可動ホールディング部（１２１）の支持突起（１２９）との間隔を可変調整して歯肉（Ｎ）の側部を支持する。可動ホールディング部（１２１）は、固定ホールディング部（１１１）のねじ孔（１１３）に対応して内側から突出されて歯肉（Ｎ）の側部を支持する支持突起（１２９）を有する。
【００２４】
これによって、調整ねじ（１５１）と支持突起（１２９）は、ミニスクリューアンカー（９）を植立する前にアンカー位置設定部（１４１）の位置を決定するために設けられ、調整ねじ（１５１）をねじ孔（１１３）によって前進及び後進させ、調整ねじ（１５１）と支持突起（１２９）の間の間隔を調整することにより、多様な大きさの歯肉（Ｎ）に対応し、安定的にアンカー位置設定部（１４１）の位置を決定することができる。
【００２５】
一方、本実施例での固定ホールディング部（１１１）と可動ホールディング部（１２１）は、回動軸（１３１）に回動可能に結合されている。また、固定ホールディング部（１１１）及び可動ホールディング部（１２１）には、回動軸（１３１）に対して固定ホールディング部（１１１）及び可動ホールディング部（１２１）を互いに接近及び、離隔させる一対の握り部（１３３）が連結されている。
【００２６】
ここで、握り部（１３３）は、固定ホールディング部（１１１）及び可動ホールディング部（１２１）にそれぞれ一体に成形することもでき、別途に製造されて固定ホールディング部（１１１）及び可動ホールディング部（１２１）にそれぞれ結合されうる。そして、回動軸（１３１）には、固定ホールディング部（１１１）及び可動ホールディング部（１２１）が互いに離隔される方向に、反対方向に弾性附勢する弾性スプリング（１３５）が設けられている。 これに、手術者が一対の握り部（１３３）を把持した後、一対の握り部（１３３）を互いに接近させる方向に加圧すると、固定ホールディング部（１１１）及び可動ホールディング部（１２１）は、回動軸（１３１）に対して互いに離隔される方向に開く。しかし、手術者が握り部（１３３）を加圧する力を抜けば、弾性スプリング（１３５）によって固定ホールディング部（１１１）及び可動ホールディング部（１２１）は、互いに接近する。この時、固定ホールディング部（１１１）及び可動ホールディング部（１２１）は、互いに隣接する一対の臼歯（Ｍ、Ｍ'）の間を臼歯（Ｍ、Ｍ'）の配列方向に横方向に沿って部分的に囲んで支持するようになる。
【００２７】
また、固定ホールディング部（１１１）及び可動ホールディング部（１２１）それぞれには、アンカー位置設定部（１４１）が設けられている。アンカー位置設定部（１４１）は、固定ホールディング部（１１１）及び可動ホールディング部（１２１）にそれぞれ連結され、歯肉（Ｎ）の側部に配置することにより、ミニスクリューアンカー（９）の植立位置を設定する。
【００２８】
アンカー位置設定部（１４１）は、所定の長さ区間にわたって、アンカー挿入溝（groove）（１４３）が形成されたフォーク形状を有する。アンカー位置設定部（１４１）は一定の厚さを持っており、ミニスクリューアンカー（９）の植立時に垂直ガイド機能がある。アンカー挿入溝（１４３）は、ミニスクリューアンカー（９）の植立位置を案内する。
【００２９】
このような構成を有する本発明の第１実施例によるアンカー植立装置（１００）を用いて、ミニスクリューアンカー（９）を植立する過程を説明すれば次のようである。
【００３０】
まず、一対の握り部（１３３）を把持した後、互いに接近させる。
【００３１】
そうすれば、固定ホールディング部（１１１）及び可動ホールディング部（１２１）は、回動軸（１３１）に対して互いに離隔される方向に開く。固定ホールディング部（１１１）及び可動ホールディング部（１２１）が互いに隣接する一対の臼歯（Ｍ、Ｍ'）の間を臼歯（Ｍ、Ｍ'）の配列方向に横方向に沿って部分的に囲んで支持するように配置する。この時、調整ねじ（１５１）の先端部及び支持突起（１２９）は、一対の臼歯（Ｍ、Ｍ'）と歯肉（Ｎ）の間に配置され、これに歯肉（Ｎ）の大きさに対応して調整ねじ（１５１）を支持突起（１２９）に向って前進及び後進、すなわち、調整ねじ（１５１）を歯肉（Ｎ）の側部に向って前進及び後進させ、調整ねじ（１５１）の先端部と支持突起（１２９）がそれぞれ歯肉（Ｎ）の側部に支持され、また、これに連動して一対のアンカー位置設定部（１４１）は、歯肉（Ｎ）の側部に配置される。そして、手術者はアンカー挿入溝（１４３）を通じて、ミニスクリューアンカー（９）を一対の臼歯（Ｍ、Ｍ'）根（Ｒ、Ｒ'）の間の歯肉（Ｎ）に植立する。
【００３２】
このように、本発明によれば、多様な歯肉の大きさに対応してミニスクリューアンカー（９）を所定の植立位置に簡単に植立することができる。
【実施例】
【００３３】
一方、前記の第１実施例では手術者が把持できるように握り部（１３３）が設けられている。しかしながら、握り部（１３３）を設けなくても本発明の思想を達成することは何の問題がない。即ち、本発明の第２実施例として図５及び図６に示されたように、本発明の第２実施例によるアンカー植立装置（２００）は、前記の第１実施例とは異なり、一対の握り部が設けられていないだけでなく、固定ホールディング部（２１１）及び可動ホールディング部（２２１）は、前記の第１実施例のように回動軸に対して回動可能に結合されず、単一部材で一体に形成されている。
【００３４】
一方、固定ホールディング部（２１１）及び可動ホールディング部（２２１）は、弾性的に伸縮及び膨脹できるように板ばね（スプリング）のような材質で製造することが好ましい。
【００３５】
これによって、第２実施例によるアンカー植立装置（２００）を用いる場合は、手術者が固定ホールディング部（２１１）及び可動ホールディング部（２２１）の両端を開け、臼歯（Ｍ、Ｍ'）の間に配置する。この時、調整ねじ（２５１）の先端部及び支持突起（２２９）は、一対の臼歯（Ｍ、Ｍ'）と歯肉（Ｎ）の間に配置され、ここに歯肉（Ｎ）の大きさに対応して調整ねじ（２５１）を歯肉（Ｎ）の側部に向って前進及び後進させ、調整ねじ（２５１）の先端部と支持突起（２２９）がそれぞれ歯肉（Ｎ）の側部に支持される。そして、固定ホールディング部（２１１）及び可動ホールディング部（２２１）に加えた力を抜けば、弾性的に伸縮する固定ホールディング部（２１１）及び可動ホールディング部（２２１）は、半径方向の内側につぼめられ、これに連動して一対のアンカー位置設定部（２４１）は、歯肉（Ｎ）の側部に配置できるようになる。
【００３６】
そして、手術者はアンカー位置設定部（２４１）に形成されたアンカー挿入溝（２４３）に、ミニスクリューアンカー（９）を配置し、一対の臼歯（Ｍ、Ｍ'）根（Ｒ、Ｒ'）の間の歯肉（Ｎ）に植立することにより、多様な歯肉の大きさに対応し、ミニスクリューアンカー（９）を所定の植立位置に簡単に植立することができる。
【００３７】
一方、本発明の第３実施例によるアンカー植立装置が図７に示されている。本発明の第３実施例によるアンカー植立装置（３００）は、前記の実施例とは異なり、固定ホールディング部（３１１）及び可動ホールディング部（３２１）の間に部分円弧形状の弾性緩衝部（３３９）が設けられる構成を有する。
【００３８】
弾性緩衝部（３３９）は、一対の臼歯の間に固定ホールディング部（３１１）及び可動ホールディング部（３２１）を配置時、取っ手の役割をするだけでなく、固定ホールディング部（３１１）及び可動ホールディング部（３２１）が互いに離隔される場合、固定ホールディング部（３１１）及び可動ホールディング部（３２１）が、広く多く開くように弾力とその範囲を広げる役割を果す。ここで、弾性緩衝部（３３９）は、弾性的に伸縮及び膨脹できるように板ばね（スプリング）のような材質で製造されることが好ましい。
【００３９】
一方、本発明の第４実施例によるアンカー植立装置（４００）が図８ないし図１２に示されている。本発明の第４実施例によるアンカー植立装置（４００）は、前記の実施例とは異なり、固定ホールディング部（４１１）が固定結合されるとともに、可動ホールディング部（４２１）がスライディング可能に結合され、案内ねじ部（４６３）を有する本体（４６１）と、本体（４６１）の案内ねじ部（４６３）にねじ結合され、可動ホールディング部（４２１）をスライディング移動させる可動部（４７１）をさらに有する。本体（４６１）は、円筒形状で形成され、外周面に後述する可動部（４７１）がねじ結合される案内ねじ部（４６３）を有する。案内ねじ部（４６３）は、所定のねじ規格を有する雄ねじで構成されている。本体（４６１）の外周には、可動ホールディング部（４２１）の一端部がスライディング可能に結合されるスリット（４６５）が、本体（４６１）の長さ方向に沿って所定の深さに陷沒、形成されている。また、本体（４６１）には固定ホールディング部（４１１）のホルダー部（４１５）が固定ねじ（４６７）によって結合される。ここで固定ねじ（４６７）は、可動部（４７１）の内周面と干渉が生じないように、本体（４６１）の外周から突出されないように設けることが好ましい。
【００４０】
固定ホールディング部（４１１）は、本体（４６１）に結合されるホルダー部（４１５）と、ホルダー部（４１５）の一端部から延長されて隣接する一対の歯の間を部分的に囲む歯支持部（４１７）を有する。ホルダー部（４１５）は、本体（４６１）に収容され、固定ねじ（４６７）によって本体（４６１）に結合される。歯支持部（４１７）は、互いに隣接する一対の歯の間を歯の配列方向に横方向に沿って部分的に囲むように部分円弧断面形状を有する。歯支持部（４１７）の一側には歯肉（Ｎ）の側部に向って貫通形成されたねじ孔（不図示）が形成されており、このねじ孔には調整ねじ（４５１）が着脱可能にねじ結合される。調整ねじ（４５）は、ねじ孔に結合されて後述する可動ホールディング部（４２１）の支持突起（４２９）との間隔を可変調整して歯肉（Ｎ）の側部を支持する。これに調整ねじ（４５１）は、後述する歯ホールディング部（４２７）の支持突起（４２９）とともに、手術しようとする歯肉（Ｎ）の大きさに対応して歯肉（Ｎ）の側部を接触して支持するようになる。
【００４１】
アンカー位置設定部（４４１）は、歯肉（Ｎ）の側部に設けられてミニスクリューアンカー（９）の植立位置を設定する。アンカー位置設定部（４４１）は、所定の長さ区間にわたって、アンカー挿入溝（４４３）が形成されたフォーク形状を有する。アンカー位置設定部（４４１）は一定の厚さを持っており、ミニスクリューアンカー（９）の植立時、垂直ガイド機能を有し、これにミニスクリューアンカー（９）の植立位置を案内する。ここで、アンカー位置設定部（４４１）は、ミニスクリューアンカー（９）の正確な植立位置を設定するために、歯肉（Ｎ）の側部に対応するように、所定の曲率半径を有することがより効果的である。
【００４２】
可動ホールディング部（４２１）は、本体（４６１）にスライディング可能に結合されるスライディングロード（４２３）と、スライディングロード（４２３）に連結されて固定ホールディング部（４１１）とともに隣接する一対の歯の間を囲む歯ホールディング部（４２７）を有する。スライディングロード（４２３）は、本体（４６１）のスリット（４６５）に収容されるとともに、可動部（４７１）の内周面に収容され、可動部（４７１）のねじ運動によって本体（４６１）のスリット（４６５）に沿ってスライディング移動する。スライディングロード（４２３）の一端部には歯ホールディング部（４２７）とともに可動部（４７１）を支持する支持片（４２５）が設けられている。
【００４３】
歯ホールディング部（４２７）は、スライディングロード（４２３）のスライディング移動方向に沿って、スライディングロード（４２３）の一端部から下向延長され、固定ホールディング部（４１１）とともに、隣接する一対の歯の間を囲むように部分円弧断面形状を有する。歯ホールディング部（４２７）は、歯ホールディング部（４２７）の自由端部の内側から調整ねじ（４５１）に対向するように突出され、歯肉（Ｎ）の側部を支持する支持突起（４２９）をさらに有する。 これによって、スライディングロード（４２３）が本体（４６１）のスリット（４６５）に沿ってスライディング移動することにより、可動ホールディング部（４２１）が固定ホールディング部（４１１）に対して接近及び離隔することにより、植立手術しようとする歯及び歯肉（Ｎ）の大きさに対応し、調整ねじ（４５１）と支持突起（４２９） の間の間隔を調整することができる。
【００４４】
可動部（４７１）は、中が空いた円筒形状を有し、本体（４６１）の案内ねじ部（４６３）とねじ結合される。可動部（４７１）は、歯ホールディング部（４２７）の一側とスライディングロード（４２３）の支持片（４２５）によって支持されており、スライディングロード（４２３）は可動部（４７１）の内周面に支持されている。可動部（４７１）の内周面には、本体（４６１）の案内ねじ部（４６３）とねじ結合される雌ねじが形成されており、可動部（４７１）の外周面には可動部（４７１）を把持し、本体（４６１）に対してねじ運動する把持部が設けられている。本実施例では把持部として可動部（４７１）の外周面に沿って所定の深さに陷沒、形成された複数の把持溝（４７３）が図に示されている。ここで、図に示されていないが、可動部（４７１）の外周面に単一の把持溝が形成されることもできる。また、把持部として把持溝（４７３）代りに可動部（４７１）の外周面から突出された把持片を形成することもできる。
【００４５】
これに、ピンセットなどを用いて可動部（４７１）の把持溝（４７３）を把持した後、可動部（４７１）を一方向に回転させると、本体（４６１）と可動部（４７１）はねじ運動し、可動ホールディング部（４２１）のスライディングロード（４２３）が、固定ホールディング部（４１１）の歯支持部（４１７）に向って、本体（４６１）のスリット（４６５）に沿って直線スライディング移動することによって、図９に示されたように固定ホールディング部（４１１）と可動ホールディング部（４２１）が互いに接近するようになる。そして図１０に示されたように固定ホールディング部（４１１）と可動ホールディング部（４２１）は、互いに離隔する。
【００４６】
このような構成によって、本発明の第４実施例による歯の矯正用アンカー植立装置（４００）を用いて、ミニスクリューアンカー（９）を植立する過程を図１１及び図１２を参照して説明すれば次のようである。
【００４７】
歯（Ｔ）の配列方向に横方向に沿ってアンカー位置設定部（４４１）が口腔の外側に露出するように、互いに隣接する一対の臼歯（Ｍ、Ｍ'）の間にアンカー植立装置（４００）を配置する。
【００４８】
次に、ピンセット（不図示）などを用いて可動部（４７１）の把持溝（４７３）を把持した後、固定ホールディング部（４１１）と可動ホールディング部（４２１）が互いに接近するように、可動部（４７１）を一方向に回転させる。この時、可動部（４７１）が一方向に回転することにより、本体（４６１）と可動部（４７１）はねじ運動をし、可動部（４７１）に支持された可動ホールディング部（４２１）のスライディングロード（４２３）が、固定ホールディング部（４１１）の歯支持部（４１７）に向って、本体（４６１）のスリット（４６５）に沿って直線スライディング移動するようになる。 スライディングロード（４２３）が、本体（４６１）のスリット（４６５）に沿って直線スライディング移動することにより、固定ホールディング部（４１１）と可動ホールディング部（４２１）が互いに接近し、一対の歯の間を囲み、固定ホールディング部（４１１）の調整ねじ（４５１）の先端部及び、支持突起（４２９）は、一対の臼歯（Ｍ、Ｍ'）と歯肉（Ｎ）の間に配置される。この時、歯肉（Ｎ）の大きさに対応し、調整ねじ（４５１）を歯肉（Ｎ）の側部に向って前進及び後進させ、調整ねじ（４５１）の先端部と支持突起（４２９）がそれぞれ歯肉（Ｎ）の側部に支持され、また、これに連動して一対のアンカー位置設定部（４４１）は、歯肉（Ｎ）の側部に配置される。
【００４９】
そして、手術者は、アンカー挿入溝（４４３）を通じてミニスクリューアンカー（９）を一対の臼歯（Ｍ、Ｍ'）根（Ｒ、Ｒ'）の間の歯肉（Ｎ）に植立する。
【００５０】
一方、前記の実施例では、アンカー位置設定部が固定ホールディング部に設けられるものと説明しているが、アンカー位置設定部は、固定ホールディング部だけでなく、可動ホールディング部にも設けられることもできる。 また、前記の各実施例では、図に示されていないが、アンカー位置設定部は、固定ホールディング部及び可動ホールディング部のいずれかに着脱可能に結合することもできる。
【産業上の利用可能性】
【００５１】
以上、説明したように、本発明によれば、多様な大きさの歯肉に対応し、ミニスクリューアンカーを所定の植立位置に簡単に植立することができる歯の矯正用アンカー植立装置を提供する。
【図面の簡単な説明】
【００５２】
【図１】歯に歯の矯正ワイヤーが設けられた状態を概略的に示した図面。
【図２】本発明の第１実施例による歯の矯正用アンカー植立装置の斜視図。
【図３】図２に示されたアンカー植立装置の設置状態の斜視図。
【図４】図３の要部拡大側面図。
【図５】本発明の第２実施例による歯の矯正用アンカー植立装置の斜視図。
【図６】図５に示されたアンカー植立装置の設置状態の斜視図。
【図７】本発明の第３実施例による歯の矯正用アンカー植立装置の斜視図。
【図８】本発明の第４実施例による歯の矯正用アンカー植立装置の斜視図。
【図９】図８の作動状態を示した正面図。
【図１０】図８の作動状態を示した正面図。
【図１１】図８に示されたアンカー植立装置の設置状態を示した側面図。
【図１２】図１１のＸＩＩ−ＸＩＩ線による断面図。
【図１】
2007508044.tif 000003
【図２】
2007508044.tif 000004
【図３】
2007508044.tif 000005
【図４】
2007508044.tif 000006
【図５】
2007508044.tif 000007
【図６】
2007508044.tif 000008
【図７】
2007508044.tif 000009
【図８】
2007508044.tif 000010
【図９】
2007508044.tif 000011
【図１０】
2007508044.tif 000012
【図１１】
2007508044.tif 000013
【図１２】
2007508044.tif 000014
【国際調査報告】
2007508044.tif 000015